(57)【要約】【課題】道路の形状に対応して自車両を停止させることが可能な緊急退避装置を提供する。【解決手段】緊急退避制御ユニット３０は、ナビゲーションシステム２２、インフラ情報取得センサ２４、ミリ波センサ２６及び前方認識カメラ２８が取得した自車両１が走行する道路の形状に関する道路形状情報に応じて自車両１を停止させる停止位置を決定し、車室内カメラ１２等が検出した運転者の意識レベルが設定された閾値以下であるときに、スロットル制御ユニット３２、ブレーキ制御ユニット３４及びステアリング制御ユニット３６が決定した停止位置に自車両１を停止させる。これにより、道路の形状に対応して自車両１を停止させることが可能となる。【選択図】図１
2010125923.tif 000002
【特許請求の範囲】
【請求項１】
自車両の運転者の意識レベルを検出する運転者意識レベル検出手段と、
前記自車両が走行する道路の形状に関する道路形状情報を取得する道路形状情報取得手段と、
前記道路形状取得手段が取得した前記道路形状情報に応じて、前記自車両を停止させる停止位置を決定する停止位置決定手段と、
前記運転者意識レベル検出手段が検出した運転者の意識レベルが第１閾値以下であるときに、前記停止位置決定手段が決定した前記停止位置に前記自車両を停止させる停止手段と、
を備えた緊急退避装置。
【請求項２】
前記停止位置決定手段は、前記自車両の後続車両の車速を推定し、前記後続車両の車速に応じて前記停止位置を決定する、請求項１に記載の緊急退避装置。
【請求項３】
前記道路形状取得手段が前記自車両の走行する前記道路は一車線道路であり且つ左カーブであることを示す前記道路形状情報を取得したときは、前記停止位置決定手段は前記道路の右側に前記停止位置を決定し、
前記道路形状取得手段が前記自車両の走行する前記道路は一車線道路であり且つ右カーブであることを示す前記道路形状情報を取得したときは、前記停止位置決定手段は前記道路の左側に前記停止位置を決定する、請求項１又は２に記載の緊急退避装置。
【請求項４】
前記停止位置決定手段は、前記道路形状取得手段が取得した前記道路形状情報に基づき、前記自車両の後続車両が前記自車両を視認可能な視認可能領域内に前記停止位置を決定する、請求項１〜３のいずれか１項に記載の緊急退避装置。
【請求項５】
前記停止位置決定手段は、前記自車両の車速に応じた停止可能位置を推定し、前記停止可能位置の後方の前記視認可能領域の境界と前記停止可能位置との距離が第２閾値以下であるときは、前記停止可能位置を前記停止位置に決定する、請求項４に記載の緊急退避装置。
【請求項６】
前記停止位置決定手段は、前記自車両の後続車両の車速を推定し、推定した前記後続車両の車速が速いほど前記第２閾値を大きく設定する、請求項５に記載の緊急退避装置。
【発明の詳細な説明】
【技術分野】
【０００１】
本発明は、緊急退避装置に関し、特には、運転者の意識レベルに応じて自車両を停止させる緊急退避装置に関する。
【背景技術】
【０００２】
従来、運転者の意識レベルに応じて自車両を停止させる装置が提案されている。例えば、特許文献１には、スピーカを介して呼びかけを行っても、マイクを介して運転者の応答が無い場合には、運転者の意識が無いと判定する車両制御装置が開示されている。そして、特許文献１の車両制御装置は、地図情報ＤＢに格納されるナビ地図情報と自車位置データから、車両が一番左側の車線を走行していると推定される場合には、車両ＥＣＵを介してブレーキランプや左側方向指示器のランプ類を点滅点灯する等して、周囲の他車両に対して、車両に緊急異常状態が発生して緊急停車する旨をアピールしながら、車両ＥＣＵを介してブレーキ、エンジン、変速機やステアリング駆動部を駆動制御して当該車両を道路の左側端縁に緊急停車させる。これにより、特許文献１の車両制御装置は、運転者に車両の運転が困難な緊急異常状態が発生した場合においても、自車両を安全に停車させることが可能となるように制御する。
【特許文献１】特開２００８−３７２１８号公報
【発明の開示】
【発明が解決しようとする課題】
【０００３】
しかしながら、自車両を停止させる場所によっては、停止した自車両が周囲に早急に認識されない恐れがある。例えば、自車両を停止させる場所がカーブである場合、カーブ周辺には、後続車両が自車両を視認不可能な死角が生じ、後続車両から自車両が発見され難い状況が発生する可能性がある。
【０００４】
本発明は、このような実情に鑑みなされたものであり、その目的は、道路の形状に対応して自車両を停止させることが可能な緊急退避装置を提供することにある。
【課題を解決するための手段】
【０００５】
本発明は、自車両の運転者の意識レベルを検出する運転者意識レベル検出手段と、自車両が走行する道路の形状に関する道路形状情報を取得する道路形状情報取得手段と、道路形状取得手段が取得した道路形状情報に応じて、自車両を停止させる停止位置を決定する停止位置決定手段と、運転者意識レベル検出手段が検出した運転者の意識レベルが第１閾値以下であるときに、停止位置決定手段が決定した停止位置に自車両を停止させる停止手段とを備えた緊急退避装置である。
【０００６】
この構成によれば、停止位置決定手段が、道路形状取得手段が取得した自車両が走行する道路の形状に関する道路形状情報に応じて自車両を停止させる停止位置を決定し、停止手段が、運転者意識レベル検出手段が検出した運転者の意識レベルが第１閾値以下であるときに、停止位置決定手段が決定した停止位置に自車両を停止させるため、道路の形状に対応して自車両を停止させることが可能となる。
【０００７】
この場合、停止位置決定手段は、自車両の後続車両の車速を推定し、後続車両の車速に応じて停止位置を決定することが好適である。
【０００８】
この構成によれば、停止位置決定手段は、自車両の後続車両の車速を推定し、後続車両の車速に応じて停止位置を決定するため、より適切な停止位置で自車両を停止させることが可能となる。
【０００９】
また、道路形状取得手段が自車両の走行する道路は一車線道路であり且つ左カーブであることを示す道路形状情報を取得したときは、停止位置決定手段は道路の右側に停止位置を決定し、道路形状取得手段が自車両の走行する道路は一車線道路であり且つ右カーブであることを示す道路形状情報を取得したときは、停止位置決定手段は道路の左側に停止位置を決定することが好適である。
【００１０】
この構成によれば、道路形状取得手段が自車両の走行する道路は一車線道路であり且つ左カーブであることを示す道路形状情報を取得したときは、停止位置決定手段は道路の右側に停止位置を決定し、道路形状取得手段が自車両の走行する道路は一車線道路であり且つ右カーブであることを示す道路形状情報を取得したときは、停止位置決定手段は道路の左側に停止位置を決定するため、自車両が対向車線の無い一車線道路を走行している場合には、左カーブでは後続車両から死角となり難い道路の右側に、右カーブでは後続車両から死角となり難い道路の左側に自車両を停止させることになり、後続車両から自車両が発見され易くすることができる。
【００１１】
また、停止位置決定手段は、道路形状取得手段が取得した道路形状情報に基づき、自車両の後続車両が自車両を視認可能な視認可能領域内に停止位置を決定することが好適である。
【００１２】
この構成によれば、停止位置決定手段は、道路形状取得手段が取得した道路形状情報に基づき、自車両の後続車両が自車両を視認可能な視認可能領域内に停止位置を決定するため、停止させた自車両を後続車両が視認可能となり、安全性を向上させることが可能となる。
【００１３】
この場合、停止位置決定手段は、自車両の車速に応じた停止可能位置を推定し、停止可能位置の後方の視認可能領域の境界と停止可能位置との距離が第２閾値以下であるときは、停止可能位置を停止位置に決定することが好適である。
【００１４】
この構成によれば、停止位置決定手段は、自車両の車速に応じた停止可能位置を推定し、停止可能位置の後方の視認可能領域の境界と停止可能位置との距離が第２閾値以下であり、視認可能領域内に入った後続車両が自車両を確認するのに十分な距離がある場合には、当該停止可能位置を停止位置に決定するため、安全性をさらに向上させることが可能となる。
【００１５】
さらに、この場合、停止位置決定手段は、自車両の後続車両の車速を推定し、推定した後続車両の車速が速いほど第２閾値を大きく設定することが好適である。
【００１６】
この構成によれば、停止位置決定手段は、自車両の後続車両の車速を推定し、推定した後続車両の車速が速いほど第２閾値を大きく設定するため、後続車両の車速が速いほど、視認可能領域内に入った後続車両が自車両を確認するための距離が長いことになり、安全性をさらに向上させることが可能となる。
【発明の効果】
【００１７】
本発明の緊急退避装置によれば、道路の形状に対応して自車両を停止させることが可能となる。
【発明を実施するための最良の形態】
【００１８】
以下、本発明の実施の形態について添付図面を参照して説明する。
【００１９】
図１は、本実施形態の緊急退避装置１０の構成を示すブロック図である。本実施形態の緊急退避装置１０は、自車両に搭載され、自車両の運転者が居眠りや失神等の意識不明状態に陥ったときに、自車両を緊急に停止させて安全を担保するためのものである。図１に示すように、緊急退避装置１０は、車室内カメラ１２、車速センサ１４、加速度センサ１６、ヨーレートセンサ１８、操舵角センサ２０、ナビゲーションシステム２２、インフラ情報取得センサ２４、ミリ波センサ２６、前方認識カメラ２８、緊急退避制御ユニット３０、スロットル制御ユニット３２、ブレーキ制御ユニット３４、及びステアリング制御ユニット３６を備えている。
【００２０】
車室内カメラ（運転者意識レベル検出手段）１２は、撮像した運転者の頭部の画像をパターン認識し、運転者の眼球の動き及び視線方法を検出することにより運転者の意識レベルを検出するためのものである。運転者の意識レベルを検出するためには、運転者の脈拍、血圧及び体温等を検出するものとしても良い。あるいは、運転者の意識レベルは、車速センサ１４、加速度センサ１６、ヨーレートセンサ１８及び操舵角センサ２０により検出した自車両の挙動に基づいて検出しても良い。
【００２１】
ここで、運転者の意識レベルとは、例えば、ＧＣＳ（Glasgow  Coma  Scale）あるいはＪＣＳ（Japan  Coma  Scale）を基準として検出することができる。例えば、ＧＣＳが１３〜１４点、あるいはＪＣＳが０の意識清明と判断されない場合を閾値（第１閾値）として、運転者の意識レベルがこれら以下である場合は、運転者は意識不明であるとすることができる。
【００２２】
緊急退避制御ユニット３０には、自車両の車速を計測する車速センサ１４、自車両の加速度を検出する加速度センサ１６、自車両のヨーレートを検出するヨーレートセンサ１８、及び自車両の操舵角を検出する操舵角センサ２０が接続されており、各々自車両の走行状態を検出する。
【００２３】
ナビゲーションシステム（道路形状情報取得手段）２２は、ＧＰＳ（Global  Positioning  System）を用いて自車両の現在位置を検出し、地図データと照合することにより、自車両が走行する道路の道路曲率、道路幅、自車線位置等に関する道路形状情報を取得するためのものである。あるいはナビゲーションシステム２２は、自車両が走行する道路の制限速度や、当該道路を走行する車両の平均走行速度等の情報も取得する。
【００２４】
また、インフラ情報取得センサ（道路形状情報取得手段）２４は、道路に設置された光ビーコン等の路側施設から、自車両が走行する道路の道路曲率、道路幅、自車線位置等に関する道路形状情報を取得するためのものである。あるいは、インフラ情報取得センサ２４は、自車両が走行する道路の制限速度や、当該道路を走行する車両の平均走行速度等の情報も取得する。なお、自車両が走行する道路の形状に関する道路形状情報、自車両が走行する道路の制限速度、及び当該道路を走行する車両の平均走行速度等の情報は、車車間通信機により、自車両の後続車両から取得するようにしても良い。
【００２５】
ミリ波センサ（道路形状情報取得手段）２６は、前方にミリ波を照射し、物体に反射して戻ってくる反射波を受信して、自車両前方の道路の形状に関する道路形状情報を取得するためのものである。また、前方認識カメラ（道路形状情報取得手段）２８は、自車両前方を撮像し、自車両前方の道路の形状に関する道路形状情報を取得するためのものである。
【００２６】
緊急退避制御ユニット（停止位置決定手段、停止手段）３０は、物理的にＥＣＵ（electronic  control  unit）として構成される。緊急退避制御ユニット３０は、ナビゲーションシステム２２、インフラ情報取得センサ２４、ミリ波センサ２６及び前方認識カメラ２８が取得した道路形状情報に応じて、自車両を停止させる停止位置を決定し、車室内カメラ１２が検出した運転者の意識レベルが閾値以下であるときに、スロットル制御ユニット３２、ブレーキ制御ユニット３４及びステアリング制御ユニット３６を駆動させ、決定した停止位置に自車両を停止させるためのものである。
【００２７】
緊急退避制御ユニット３０には、自車両のスロットル開度を制御するスロットル制御ユニット（停止手段）３２、自車両のブレーキ強度を制御するブレーキ制御ユニット（停止手段）３４、及び自車両の操舵角を制御するステアリング制御ユニット（停止手段）３６が接続されている。
【００２８】
以下、本実施形態の緊急退避装置１０の動作について説明する。図２は、実施形態に係る緊急退避装置１０の動作を示すフロー図であり、図３は、停止位置に対するブラインド判定を示す平面図である。以下の説明では、自車両１が図３に示すようなカーブに接近している場合を想定して説明する。
【００２９】
図２に示すように、緊急退避装置１０の緊急退避制御ユニット３０は、車室内カメラ１２、あるいは車速センサ１４、加速度センサ１６、ヨーレートセンサ１８及び操舵角センサ２０により検出した自車両１の挙動に基づいて、自車両１の運転者が意識不明状態に陥っているか否かを計測する（Ｓ１１）。
【００３０】
運転者の意識レベルが設定した閾値以下であり、運転者が意識不明状態に陥っていると判断されるときは（Ｓ１２）、緊急退避制御ユニット３０は停止距離を算出する（Ｓ１３）。一方、運転者が意識不明状態に陥っていないと判断されるときは（Ｓ１２）、緊急退避制御ユニット３０は再度Ｓ１１の処理を繰り返す。
【００３１】
緊急退避制御ユニット３０は、自車両１が現在位置から緊急停止した場合の停止距離（停止可能位置）を算出する（Ｓ１３）。図３に示すように、自車両１が現在位置から緊急停止した場合の停止距離Ｄ１は、車速センサ１４により検出された自車速をＶ〔ｍ／ｓ〕、緊急停止時（緊急停止モード）の減速度をＧ〔ｍ／ｓ２〕とした場合、下式（１）により算出することができる。
Ｄ１＝０．５×Ｖ２÷Ｇ                          （１）
【００３２】
緊急退避制御ユニット３０は、ナビゲーションシステム２２より、自車両１が対向車線のない一車線道路を走行中か否かの道路形状情報を取得する（Ｓ１４）。また、緊急退避制御ユニット３０は、ナビゲーションシステム２２、インフラ情報取得センサ２４、ミリ波センサ２６及び前方認識カメラ２８により、自車両の走行する道路の道路曲率、道路幅、自車線位置等、自車両に対する前方の道路の形状に関する道路形状情報を取得する（Ｓ１４）。
【００３３】
緊急退避制御ユニット３０は、Ｓ１３で定めた停止位置（現在位置よりＤ１〔ｍ〕前方）より後方で、後続車両が自車両を視認可能な視認可能領域Ａを求める（Ｓ１５）。この視認可能領域Ａの境界と道路中心線Ｃとの交点Ｐと、停止位置との距離Ｄ２が、所定の距離Ｄ３〔ｍ〕（第２閾値）以下であれば、後続車両から発見され難く、安全性が低いため、緊急退避制御ユニット３０は、緊急停止するのは好ましくないと判断し、スロットル制御ユニット３２、ブレーキ制御ユニット３４及びステアリング制御ユニット３６を駆動して低速走行を継続する（Ｓ１６）。一方、距離Ｄ２が距離Ｄ３よりも長いときは、緊急退避制御ユニット３０は、緊急停止しても後続車両から発見され易いと判断し、緊急停止を行うＳ１７以下の処理を実行する（Ｓ１７）。
【００３４】
距離Ｄ３は、後続車両から発見され易いと考えられる距離に設定される。距離Ｄ３は、後続車両の車速によって変化すると考えられるため、例えば、ナビゲーションシステム２２及びインフラ情報取得センサ２４により取得される制限速度情報によって、自車両１が走行する道路の制限速度Ｖｌｉｍｉｔ、一般的な運転者が通常操作する減速度をＧｄｒｉｖｅｒとして、下式（２）により算出することができる。
Ｄ３＝０．５×Ｖｌｉｍｉｔ２÷Ｇｄｒｉｖｅｒ              （２）
【００３５】
なお、上記制限速度Ｖｌｉｍｉｔは、ナビゲーションシステム２２及びインフラ情報取得センサ２４により取得される当該道路を走行する車両の平均走行速度としても良い。
【００３６】
緊急退避制御ユニット３０は、Ｓ１４で取得した道路形状情報が、自車両１が走行している道路が一車線道路でかつカーブ中であることを示しているときであって（Ｓ１７）、左カーブであるときは（Ｓ１８）、スロットル制御ユニット３２、ブレーキ制御ユニット３４及びステアリング制御ユニット３６を駆動して図４に示すように自車両１を道路の右側のＳ１３で算出した停止可能位置に停止させる（Ｓ１９）。一方、右カーブであるときは（Ｓ１８）、緊急退避制御ユニット３０は、スロットル制御ユニット３２、ブレーキ制御ユニット３４及びステアリング制御ユニット３６を駆動して図５に示すように自車両１を道路の左側のＳ１３で算出した停止可能位置に停止させる（Ｓ２０）。
【００３７】
緊急退避制御ユニット３０は、Ｓ１４で取得した道路形状情報が、自車両１が走行している道路が一車線道路でかつカーブ中であることを示していないときは（Ｓ１７）、スロットル制御ユニット３２、ブレーキ制御ユニット３４及びステアリング制御ユニット３６を駆動して、Ｓ１３で算出した停止可能位置に自車両１を緊急停止させる（Ｓ２１）。
【００３８】
本実施形態によれば、緊急退避制御ユニット３０は、ナビゲーションシステム２２、インフラ情報取得センサ２４、ミリ波センサ２６及び前方認識カメラ２８が取得した自車両１が走行する道路の形状に関する道路形状情報に応じて自車両１を停止させる停止位置を決定し、車室内カメラ１２等が検出した運転者の意識レベルが設定された閾値以下であるときに、スロットル制御ユニット３２、ブレーキ制御ユニット３４及びステアリング制御ユニット３６が決定した停止位置に自車両１を停止させるため、道路の形状に対応して自車両１を停止させることが可能となる。
【００３９】
また、本実施形態によれば、緊急退避制御ユニット３０は、自車両１の後続車両の車速を推定し、後続車両の車速に応じて停止位置を決定するため、より適切な停止位置で自車両を停止させることが可能となる。
【００４０】
また、本実施形態によれば、ナビゲーションシステム２２、インフラ情報取得センサ２４、ミリ波センサ２６及び前方認識カメラ２８が自車両１の走行する道路は一車線道路であり且つ左カーブであることを示す道路形状情報を取得したときは、緊急退避制御ユニット３０は道路の右側に停止位置を決定し、ナビゲーションシステム２２、インフラ情報取得センサ２４、ミリ波センサ２６及び前方認識カメラ２８が自車両１の走行する道路は一車線道路であり且つ右カーブであることを示す道路形状情報を取得したときは、緊急退避制御ユニット３０は道路の左側に停止位置を決定するため、自車両１が対向車線の無い一車線道路を走行している場合には、左カーブでは後続車両から死角となり難い道路の右側に、右カーブでは後続車両から死角となり難い道路の左側に自車両１を停止させることになり、後続車両から自車両１が発見され易くすることができる。
【００４１】
さらに、本実施形態では、緊急退避制御ユニット３０は、ナビゲーションシステム２２、インフラ情報取得センサ２４、ミリ波センサ２６及び前方認識カメラ２８が取得した道路形状情報に基づき、自車両１の後続車両が自車両１を視認可能な視認可能領域Ａ内に停止位置を決定するため、停止させた自車両１を後続車両が視認可能となり、安全性を向上させることが可能となる。
【００４２】
この場合、本実施形態では、緊急退避制御ユニット３０は、自車両１の車速に応じた停止可能位置（現在位置よりＤ１〔ｍ〕前方）を推定し、停止可能位置の後方の視認可能領域Ａの境界と停止可能位置との距離Ｄ２が距離Ｄ３以下であり、視認可能領域Ａ内に入った後続車両が自車両１を確認するのに十分な距離がある場合には、当該停止可能位置を停止位置に決定するため、安全性をさらに向上させることが可能となる。
【００４３】
加えて、本実施形態では、緊急退避制御ユニット３０は、自車両１の後続車両の車速を推定し、推定した後続車両の車速が速いほどＤ３を大きく設定するため、後続車両の車速が速いほど、視認可能領域Ａ内に入った後続車両が自車両１を確認するための距離が長いことになり、安全性をさらに向上させることが可能となる。
【００４４】
尚、本発明は、上記した実施の形態に限定されるものではなく、本発明の要旨を逸脱しない範囲内において種々変更を加え得ることは勿論である。
【図面の簡単な説明】
【００４５】
【図１】実施形態に係る緊急退避装置の構成を示すブロック図である。
【図２】実施形態に係る緊急退避装置の動作を示すフロー図である。
【図３】停止位置に対するブラインド判定を示す平面図である。
【図４】左カーブにおける停止位置を示す平面図である。
【図５】右カーブにおける停止位置を示す平面図である。
【符号の説明】
【００４６】
１…自車両、１０…緊急退避装置、１２…車室内カメラ、１４…車速センサ、１６…加速度センサ、１８…ヨーレートセンサ、２０…操舵角センサ、２２…ナビゲーションシステム、２４…インフラ情報取得センサ、２６…ミリ波センサ、２８…前方認識カメラ、３０…緊急退避制御ユニット、３２…スロットル制御ユニット、３４…ブレーキ制御ユニット、３６…ステアリング制御ユニット。
【図１】
2010125923.tif 000003
【図２】
2010125923.tif 000004
【図３】
2010125923.tif 000005
【図４】
2010125923.tif 000006
【図５】
2010125923.tif 000007